(57)【特許請求の範囲】
【請求項１】
人が排泄する屎を尿とは別に受ける屎用鉢部と、該人が排泄する尿を該屎とは別に受ける尿用鉢部とを有する屎尿分離便器において、
前記屎用鉢部は、微生物が生息する粉体によって覆われた鉢面を有することを特徴とする屎尿分離便器。
【請求項２】
前記鉢面の側面は上方に拡がるように下り傾斜をなし、該鉢面には上方から前記粉体が供給されるように構成されている請求項１記載の屎尿分離便器。
【請求項３】
前記鉢面は、前記粉体が賦型されてなる粉体固化層からなる請求項１又は２記載の屎尿分離便器。
【請求項４】
前記粉体は有機物である請求項１乃至３のいずれか１項記載の屎尿分離便器。
【請求項５】
前記屎用鉢部の底は移動可能なベルトによって形成されている請求項１乃至４のいずれか１項記載の屎尿分離便器。
【請求項６】
人が排泄する屎を尿とは別に受ける屎用鉢部と、該人が排泄する尿を該屎とは別に受ける尿用鉢部とを有する複数個の屎尿分離便器が上下方向に整列してなる共同トイレ設備であって、
各前記屎用鉢部で受けた屎を下方に案内する屎用通路と、該屎用通路と連通し、該屎をコンポスト化するコンポスト槽と、各前記尿用鉢部で受けた尿を下方に案内する尿用通路と、該尿用通路と連通し、該尿を貯留する尿貯留槽とを備え、
該屎用通路は、内部を負圧にするように外気に開放され、かつ内部に該尿用通路を挿通させていることを特徴とする共同トイレ設備。
【請求項７】
前記屎尿分離便器は請求項１乃至５のいずれか１項記載のものである請求項６記載の共同トイレ設備。
【発明の詳細な説明】
【技術分野】
【０００１】
本発明は屎尿分離便器及び共同トイレ設備に関する。
【背景技術】
【０００２】
特許文献１に従来の屎尿分離便器が開示されている。この屎尿分離便器は、人が排泄する屎を尿とは別に受ける屎用鉢部と、人が排泄する尿を屎とは別に受ける尿用鉢部とを有する。
【０００３】
屎用鉢部の下方には、屎用鉢部で受けた屎を下方に案内する屎用通路と、屎用通路と連通し、屎をコンポスト（堆肥）化するコンポスト槽とが設けられている。また、尿用鉢部の下方には、尿用鉢部で受けた尿を下方に案内する尿用通路と、尿用通路と連通し、尿を貯留する尿貯留槽とが設けられている。
【０００４】
このような構成である従来の屎尿分離便器は、屎と尿とを分離して、コンポスト槽及び尿貯留槽にそれぞれ別に貯留し、別々に処理して堆肥等に再利用することが可能となっている。また、この屎尿分離便器は、屎尿分離式でない一般的な水洗式便器と比較して、洗浄水の使用量を大幅に削減することができている。このため、この屎尿分離便器は、節水による省資源化及び堆肥化による再資源化を実現可能である。
【０００５】
また、特許文献２には、屎尿分離式でない一般的な乾式便器を複数個上下方向に整列してなる共同トイレ設備が開示されている。この共同トイレ設備は、各乾式便器に共通して連通する上下に延びる通路と、この通路と連通する収集コンテナと、通路の下方と連通し、マンション等の集合住宅の屋上まで上に延びて外気に開放された排気ダクトとを備えている。
【０００６】
このような構成である従来の共同トイレ設備は、乾式便器を採用していることから、節水による省資源化が可能であるとともに、各乾式便器に排泄される屎尿を集合住宅全体で再利用することも可能となっている。
【０００７】
【特許文献１】実開昭６０−１２０６９９号公報
【特許文献２】特開平４−２１５７３１号公報
【発明の開示】
【発明が解決しようとする課題】
【０００８】
しかし、近年、節水による省資源化の要請はさらに増してきている。この点、上記特許文献１記載の屎尿分離便器では、屎用鉢部に直接に屎が付着する場合があることから、その付着した屎を洗い流すために、ある程度の洗浄水を使用せざるをえない。このため、この屎尿分離便器は、節水による省資源化が未だ十分でない。そのため、上記従来の屎尿分離便器において、殆ど洗浄水を使用しないとすれば、屎用鉢部に付着した屎から生じる悪臭を抑制することは困難である。
【０００９】
一方、乾式便器を採用した上記従来の共同トイレ設備は、節水による省資源化の効果は発揮できるものの、乾式便器が屎尿分離式のものではないため、屎尿を利用し難いという欠点がある。また、この共同トイレ設備は、悪臭防止のための構造が複雑であり、施工コストの高騰化を生じるという欠点もある。
【００１０】
本発明は、上記従来の実情に鑑みてなされたものであって、悪臭を抑制可能であり、かつ節水による省資源化の効果が大きい屎尿分離便器を提供することを解決すべき課題としている。
【００１１】
また、本発明は、屎尿をそれぞれ利用し易く、かつ施工コストの低廉化を実現可能な共同トイレ設備を提供することも解決すべき課題としている。
【課題を解決するための手段】
【００１２】
本発明の屎尿分離便器は、人が排泄する屎を尿とは別に受ける屎用鉢部と、該人が排泄する尿を該屎とは別に受ける尿用鉢部とを有する屎尿分離便器において、
前記屎用鉢部は、微生物が生息する粉体によって覆われた鉢面を有することを特徴とする。
【００１３】
このような構成である本発明の屎尿分離便器は、人が排泄する屎を屎用鉢部が受け、人が排泄する尿を尿用鉢部が受けることにより、屎と尿とを分離することができる。このため、この屎尿分離便器は、屎と尿とをそれぞれ再利用することが可能である。
【００１４】
そして、屎用鉢部が受けた屎は、場合によっては屎用鉢部に付着する。この場合、屎用鉢部は、微生物が生息する粉体によって覆われた鉢面を有するため、その屎は粉体を介して鉢面に付着することとなる。
【００１５】
ここで、鉢面を覆う粉体は、鉢面に付着する屎の表面に付着して、屎が鉢面から剥がれて下方に落下し易くなるように作用する。これにより、屎は、屎用鉢部から容易に移送可能となる。
【００１６】
また、粉体に生息する微生物として、屎を効率よく分解するもの、屎から生じる悪臭を分解するもの等又はそれらが混合されたもの等を適宜選択可能である。このため、粉体を介して鉢面に付着した屎は、粉体に生息する微生物により分解され、同時に好気性微生物等による生物脱臭により悪臭が抑制されることとなる。
【００１７】
この際、尿は屎を分解等する微生物にとって有害であることが多いのであるが、この屎尿分離便器は屎用鉢部と尿用鉢部とが別になっていることから、屎用鉢部に尿が付着することはなく、屎用鉢部の鉢面を覆う粉体に生息する微生物が尿によって害を受けることもない。
【００１８】
このため、この屎尿分離便器は、屎用鉢部に直接屎が付着する場合であっても、その付着した屎を洗い流すために、洗浄水を使用する必要がない。このため、この屎尿分離便器は、節水による省資源化をより効果的に図ることができる。
【００１９】
したがって、本発明の屎尿分離便器は、悪臭を抑制可能であり、かつ節水による省資源化の効果が大きい。
【００２０】
粉体は、球状のものの他、繊維状のものであってもよい。例えば、有機物、無機物等各種の材料からなるものを適宜を採用することができる。有機物からなる粉体としては、家庭から出る野菜殻、生ごみ、畑の残渣、植物の落ち葉や枯れ葉等を乾燥して粉砕したもの、おがくず、このような有機物を含む土等を採用することができる。無機物からなる粉体としては、砂、消石灰等を採用することができる。
【００２１】
微生物としては、より具体的には、バチルス属細菌、放線菌、糸状菌及び硝化菌等を採用することができる。
【００２２】
本発明の屎尿分離便器において、前記鉢面の側面は上方に拡がるように下り傾斜をなし、該鉢面には上方から前記粉体が供給されるように構成されていることが好ましい。
【００２３】
この場合、この屎尿分離便器は、鉢面に予め上方から粉体を供給することにより、鉢面が常に好適な状態で粉体に覆われるように維持することができる。また、鉢面の側面は上方に拡がるように下り傾斜をなすことから、上方から供給されて鉢面の側面に付着する粉体が落下せずに留まり易くなっている。このため、この屎尿分離便器は、鉢面に付着する屎を粉体とともに下方に落下させることが一層容易であり、本発明の効果を確実に奏することができる。
【００２４】
本発明の屎尿分離便器において、前記鉢面は、前記粉体が賦型されてなる粉体固化層からなることが好ましい。
【００２５】
この場合、この屎尿分離便器は、鉢面が粉体に覆われた状態を容易に維持することができる。また、粉体固化層は、粉体間に空隙を有しており、微生物はその空隙内でも生息可能である。このため、鉢面に付着した屎は、粉体固化層に生息する微生物によっても分解され、同時に悪臭が抑制される。このため、この屎尿分離便器は、本発明の効果を一層確実に奏することができる。
【００２６】
粉体固化層としては、粉体が賦型されてなるものであれば種々の構成のものを採用することができる。例えば、粉体の集合体、粉体を成形してなる多孔体等を採用することができる。粉体を比較的容易に削ることができる材料からなることが好ましい。
【００２７】
本発明の屎尿分離便器において、粉体は有機物であることが好ましい。この場合、粉体ともども飼料とすることができるからである。
【００２８】
本発明の屎尿分離便器において、屎用鉢部の底は移動可能なベルトによって形成されていることが好ましい。この場合、屎用鉢部に排泄される屎は、屎用鉢部の底のベルトに受けられ、別の場所に容易に搬送される。その際、ベルトは搬送コストを比較的安価なものとすることができる。ベルトによる搬送は水平方向であることが好ましい。上に載置された屎を安定して他の場所に搬送できるからである。
【００２９】
本発明の共同トイレ設備は、人が排泄する屎を尿とは別に受ける屎用鉢部と、該人が排泄する尿を該屎とは別に受ける尿用鉢部とを有する複数個の屎尿分離便器が上下方向に整列してなる共同トイレ設備であって、
各前記屎用鉢部で受けた屎を下方に案内する屎用通路と、該屎用通路と連通し、該屎をコンポスト化するコンポスト槽と、各前記尿用鉢部で受けた尿を下方に案内する尿用通路と、該尿用通路と連通し、該尿を貯留する尿貯留槽とを備え、
該屎用通路は、内部を負圧にするように外気に開放され、かつ内部に該尿用通路を挿通させていることを特徴とする。
【００３０】
このような構成である本発明の共同トイレ設備は、屎尿分離便器を採用することにより、節水による省資源化の効果を発揮できる。また、この共同トイレ設備は、屎用通路、コンポスト槽、尿用通路及び尿貯留槽を備えることにより、大量の屎と尿とを別々に貯留して処理することができるので、再利用を一層効率よく実施できる。さらに、この共同トイレ設備において、屎用通路は、内部を負圧にするように外気に開放され、かつ内部に尿用通路を挿通させていることから、悪臭防止のための構造が簡易であり、施工コストの低廉化を図ることができる。
【００３１】
したがって、本発明の共同トイレ設備は、屎尿をそれぞれ利用し易く、かつ施工コストの低廉化を実現することができる。
【００３２】
本発明の共同トイレ設備において、屎尿分離便器は上述した本発明の屎尿分離便器であることが好ましい。本発明の屎尿分離便器は、従来の屎尿分離便器よりも悪臭を抑制可能であり、かつ節水による省資源化の効果が大きいことから、そのような屎尿分離便器を採用する共同トイレ設備も、悪臭を一層抑制可能であり、かつ節水による省資源化の効果を一層大きくすることができるからである。
【発明を実施するための最良の形態】
【００３３】
以下、本発明を具体化した実施例１〜３を図面を参照しつつ説明する。
【実施例１】
【００３４】
図１に示すように、実施例１の屎尿分離便器１０及び共同トイレ設備５０は、集合住宅９０に適用されるものである。
【００３５】
屎尿分離便器１０は、図２に示すように、室内の壁９１に設置されており、開口４１ａを有する座面４１が上部に配置されている。
【００３６】
より詳しくは、屎尿分離便器１０は、図３及び図４に示すように、室内の壁９１から水平方向に突設されたフレーム４２と、フレーム４２の先端側（壁９１から遠い側）に固定された尿用鉢部１２と、尿用鉢部１２よりも壁９１側であるフレーム４２の中央に固定された屎用鉢部１１とを有する。
【００３７】
尿用鉢部１２は、人が排泄する尿を屎４とは別に受ける陶器製のものである。尿用鉢部１２の底には、図４に示すように、尿用配管１２ａの一端が接続され、尿用配管１２ａの他端は、壁９１よりさらに奥側に設けられている尿用通路２２に連通するように配置されている。
【００３８】
他方、屎用鉢部１１は、人が排泄する屎４を尿とは別に受けるものであり、屎用鉢部１１の鉢面１１ｃは粉体固化層１１ａからなる。粉体固化層１１ａは、有機物からなる粉体、より具体的には乾燥させた生ごみを粉砕した粉体が賦型されてなるものであり、陶器製の尿用鉢部１２と連続して一体に成形された基部１１ｄ上に配設されている。粉体固化層１１ａを構成する粉体には、屎４を効率よく分解する放線菌及び糸状菌、屎４から生じる悪臭を分解する硝化菌等の微生物が生息している。
【００３９】
鉢面１１ｃの側面は、上方に拡がるように下り傾斜をなしており、屎用鉢部１１よりも壁９１側の上方には粉体供給手段１４が配置されている。粉体供給手段１４は、粉体供給孔１４ａから微生物が生息する粉体１４ｂを粉体固化層１１ａに供給することにより、鉢面１１ｃを粉体１４ｂで覆うことが可能とされている。微生物が生息する粉体１４ｂは、粉体固化層１１ａを形成している粉体と同一材料からなっている。また、粉体１４ｂに生息する微生物は、粉体固化層１１ａを構成する粉体に生息する微生物と同種のものが採用されている。
【００４０】
屎用鉢部１１の底は、移動可能なベルト１３によって形成されている。ベルト１３は、尿用鉢部１２と屎用鉢部１１との間の下方に配置されたローラ１３ａと、壁９１よりさらに奥側に設けられている屎用通路２１内に配置されたローラ１３ｂと、図示しないローラ駆動源とによって、水平方向に循環するようになっている。
【００４１】
このような構成であるベルト１３は、一端側が屎用鉢部１１の底に位置しており、屎用鉢部１１の底で受けた屎４を水平方向に搬送して、屎用通路２２内に供給可能とされている。この際、屎用鉢部１１の鉢面１１ｃを構成する粉体固化層１１ａにおける壁９１側に位置する部分１１ｂは、ベルト１３に搬送される屎４が通過できるように、壁９１側上方に開くようになっている。なお、ローラ駆動源は電動モータ等の一般的なものを利用してもよい。また、屎尿分離便器１０に着座する人の体重によって座面４１の一部が変位し、その変位をバネやベルト等で伝達することによって、ローラ駆動源、鉢面１１ｃの部分１１ｂを開閉するための駆動源、又は粉体供給手段１４の駆動源とすることも省電力化の観点から好ましい。
【００４２】
粉体供給手段１４は、粉体供給孔１４ａから粉体１４ｂを供給することにより、ベルト１３の屎用鉢部１１の底に位置するベルト１３の表面を粉体１４ｂで覆うことが可能とされている。
【００４３】
屎尿分離便器１０には、図２及び図４に示すように、側面及び下面を覆って装飾する布製の化粧カバー４３が装着されている。化粧カバー４３は、図３に示す構成であるフレーム４２に着脱可能に設けられており、取り外して洗濯したり、デザインの異なるものに交換可能とされている。こうして、この屎尿分離便器１０は、清潔性を容易に維持し、かつ雰囲気を容易に変更することが可能になっている。
【００４４】
このような構成である実施例１の屎尿分離便器１０は、図１に示すように、集合住宅９０の共同トイレ設備５０に適用されている。
【００４５】
集合住宅９０には、各階の中央を上下方向に貫通するように設置され、壁９１に囲まれた空洞部２３が設けられている。空洞部２３の中心には、屎用通路２１が上下方向に設置されており、各階に設置された屎尿分離便器１０のベルト１３が、屎用通路２１内まで延在するように配置されている。これにより、屎用通路２１は、各屎尿分離便器１０の各屎用鉢部１１で受けた屎４を下方に案内することが可能とされている。
【００４６】
尿用通路２２は、屎用通路２１の内部に挿通するように上下方向に設置されており、各階に設置された屎尿分離便器１０の尿用配管１２ａが尿用通路２２に連通するように配置されている。これにより、尿用通路２２は、各屎尿分離便器１０の尿用鉢部１２で受けた尿を下方に案内することが可能となっている。
【００４７】
屎用通路２１の下方の地中には、屎用通路２１と連通し、屎４をコンポスト化するコンポスト槽６１が設置され、尿用通路２２の下方の地中には、尿用通路２２と連通し、尿を貯留する尿貯留槽６２が設置されている。
【００４８】
屎用通路２１の上端には排気口２１ａが設けられている。排気口２１ａは、集合住宅９０の屋上からさらに上方に突設されており、図示しない排気ファンを備えている。このため、屎用通路２１の内部は、排気口２１ａ及び排気ファンによって、屎用通路２１の内部の内部を負圧にするように外気に開放されている。これにより、屎尿分離便器１０の屎用鉢部１１から屎用通路２１を介して排気口２１ａへと空気の流れが生じるようになっており、屎尿分離便器１０から室内に悪臭が放出されることを抑制可能となっている。
【００４９】
このような構成である実施例１の屎尿分離便器１０は、屎と尿とを分離して、コンポスト槽６１及び尿貯留槽６２にそれぞれ別に貯留し、別々に処理して堆肥等に再利用することが可能となっている。また、この屎尿分離便器１０は、屎尿分離式でない一般的な水洗式便器と比較して、洗浄水の使用量を大幅に削減することができている。
【００５０】
そして、この屎尿分離便器１０において、屎用鉢部１１が受けた屎４が屎用鉢部１１に付着する場合であっても、屎用鉢部１１は、微生物が生息する粉体１４ｂによって覆われた鉢面１１ｃを有するため、その屎４は粉体１４ｂを介して鉢面１１ｃに付着することとなる。
【００５１】
ここで、鉢面１１ｃを覆う粉体１４ｂは、鉢面１１ｃに付着する屎４の表面に付着して、屎４が鉢面１１ｃから剥がれて下方に落下し易くなるように作用する。これにより、屎４は、屎用鉢部１１から容易に移送可能となっている。
【００５２】
また、粉体１４ｂに生息する微生物として、屎４を効率よく分解する放線菌及び糸状菌、屎４から生じる悪臭を分解する硝化菌等を採用している。このため、粉体１４ｂを介して鉢面１１ｃに付着した屎４は、粉体１４ｂに生息する微生物により分解され、同時に好気性微生物等による生物脱臭によって悪臭が抑制されることとなっている。
【００５３】
この際、尿は屎４を分解等する微生物にとって有害であることが多いのであるが、この屎尿分離便器１０は屎用鉢部１１と尿用鉢部１２とが別になっていることから、屎用鉢部１１に尿が付着することはなくなっており、屎用鉢部１１の鉢面１１ｃを覆う粉体１４ｂに生息する微生物が尿によって害を受けることもない。
【００５４】
このため、この屎尿分離便器１０は、屎用鉢部１１に直接屎４が付着する場合であっても、その付着した屎４を洗い流すために、洗浄水を使用する必要がなくなっている。このため、この屎尿分離便器１０は、節水による省資源化をより効果的に図ることができる。
【００５５】
したがって、実施例１の屎尿分離便器１０は、悪臭を抑制可能であり、かつ節水による省資源化の効果が大きい。
【００５６】
また、この屎尿分離便器１０において、鉢面１１ｃの側面は上方に拡がるように下り傾斜をなし、鉢面１１ｃには上方の粉体供給手段１４からから粉体１４ｂが供給されるように構成されている。このため、この屎尿分離便器１０は、鉢面１１ｃに予め上方から粉体１４ｂを供給することにより、鉢面１１ｃが常に好適な状態で粉体１４ｂに覆われるように維持することができている。また、鉢面１１ｃの側面は上方に拡がるように下り傾斜をなすことから、上方から供給されて鉢面１１ｃの側面に付着する粉体１４ｂが落下せずに留まり易くなっている。このため、この屎尿分離便器１０は、鉢面１１ｃに付着する屎４を粉体１４ｂとともに下方に落下させることが一層容易になっており、本発明の効果を確実に奏することができている。
【００５７】
さらに、この屎尿分離便器１０において、鉢面１１ｃは、粉体が賦型されてなる粉体固化層１１ａからなっている。このため、この屎尿分離便器１０は、鉢面１１ｃが粉体に覆われた状態を容易に維持することができている。また、粉体固化層１１ａは、粉体間に空隙を有しており、微生物はその空隙内でも生息可能である。このため、鉢面１１ｃに付着した屎４は、粉体固化層１１ａに生息する微生物によっても分解され、同時に悪臭が抑制される。このため、この屎尿分離便器１０は、本発明の効果を一層確実に奏することができている。また、粉体固化層１１ａを構成する粉体は、粉体供給手段１４から供給される粉体１４ｂと同一のものであるので、粉体固化層１１ａと粉体１４ｂとが一体化し易くなっている。
【００５８】
また、この屎尿分離便器１０において、粉体１４ｂは有機物であり、乾燥させた生ごみを粉砕したものであることから、コンポスト化される屎４とともに粉体１４ｂを飼料とすることも可能となっている。
【００５９】
また、この屎尿分離便器１０において、屎用鉢部１１の底は移動可能なベルト１３によって形成されている。このため、屎用鉢部１１に排泄される屎４は、屎用鉢部１１の底のベルト１３に受けられ、別の場所に容易に搬送できる。それとともに、ベルト１３は搬送コストを比較的安価なものとすることができている。
【００６０】
さらに、実施例１の共同トイレ設備５０は、屎尿分離便器１０を採用することにより、節水による省資源化の効果を発揮できている。また、この共同トイレ設備５０は、屎用通路２１、コンポスト槽６１、尿用通路２２及び尿貯留槽６２を備えることにより、大量の屎４と尿とを別々に貯留して処理することができるので、再利用を一層効率よく実施できている。さらに、この共同トイレ設備５０において、屎用通路２１は、内部を負圧にするように外気に開放され、かつ内部に尿用通路２２を挿通させていることから、悪臭防止のための構造が簡易であり、施工コストの低廉化を図ることができている。
【００６１】
したがって、実施例１の共同トイレ設備５０は、屎尿をそれぞれ利用し易く、かつ施工コストの低廉化を実現することができている。
【００６２】
また、この共同トイレ設備５０において、屎尿分離便器１０は、従来の屎尿分離便器よりも悪臭を抑制可能であり、かつ節水による省資源化の効果が大きいことから、そのような屎尿分離便器１０を採用する共同トイレ設備５０も、悪臭を一層抑制可能であり、かつ節水による省資源化の効果を一層大きくすることができている。
【００６３】
さらに、このような共同トイレ設備５０を採用した集合住宅９０では、コンポスト槽６１や尿貯留槽６２から得られた堆肥を利用して農作物を生産し、その農作物を消費する際の生ごみ等を乾燥・粉砕して粉体１４ｂを作製し、共同トイレ設備５０に利用することができる。このようにすれば、集合住宅９０において、より効率的な自給自足システム、資源の循環を実現することが可能となる。
【００６４】
また、乾燥した生ごみを粉砕した粉体１４ｂは、屎４と同系統の色を有することから、屎尿分離便器１０の汚れが目立ち難くなっている。
【実施例２】
【００６５】
図５に示すように、実施例２の屎尿分離便器１０ａは、床９２に埋設されるものであり、実施例１の屎尿分離便器１０と同様の屎用鉢部１１、尿用鉢部１２を備えている。また、この屎尿分離便器１０ａは、図示しないが床下に埋設されている粉体供給手段及びベルト等を備えている。粉体供給手段、ベルトその他の構成は実施例１の屎尿分離便器１０と同様であるので説明は省く。
【００６６】
このような構成である実施例２の屎尿分離便器１０ａも、実施例１の屎尿分離便器１０と同様の作用効果を奏することができている。
【実施例３】
【００６７】
図６に示すように、実施例３の屎尿分離便器１０ｂはポータブル型便器である。この屎尿分離便器１０ｂは、例えば床９２上に載置されて使用されるものであり、実施例１の屎尿分離便器１０と同様の屎用鉢部１１、尿用鉢部１２を備えている。また、この屎尿分離便器１０ｂは、図示しないが、屎用鉢部１１、尿用鉢部１２の下方に配置される粉体供給手段、ベルト、コンポスト槽及び尿貯留槽を備えている。粉体供給手段、ベルト、コンポスト槽、尿貯留槽その他の構成は実施例１の屎尿分離便器１０と基本的に同様であり、ポータブル型便器とするために小型化されたものであるので説明は省く。
【００６８】
このような構成である実施例３の屎尿分離便器１０ｂも、実施例１の屎尿分離便器１０と同様の作用効果を奏することができている。
【００６９】
以上において、本発明を実施例１〜３に即して説明したが、本発明は上記実施例１〜３に制限されるものではなく、その趣旨を逸脱しない範囲で適宜変更して適用できることはいうまでもない。
【００７０】
例えば、実施例１〜３の屎尿分離便器１０、１０ａ、１０ｂには、屎用鉢部１１、尿用鉢部１２及び座面４１を覆う便蓋が設けられることが好ましい。この便蓋は、屎尿分離便器１０、１０ａ、１０ｂから悪臭が室内に洩れないようにするともに、屎尿分離便器１０、１０ａ、１０ｂの見栄えをよくするデザインとされていることが好ましい。
【００７１】
本願は特許請求の範囲に記載した発明以外に以下の発明を含む。
【００７２】
（１）人が排泄する屎及び尿の少なくとも一方を受ける鉢部を有する便器と、該便器を支持するフレームと、該フレームに着脱可能に設けられ、装着時に該便器を覆って装飾する化粧カバーとからなることを特徴とする着せ替え便器。
【００７３】
この着せ替え便器では、デザインの異なる化粧カバーに容易に交換することができるため、トイレ室を異なる雰囲気に容易に変更することができる。
【００７４】
（２）前記化粧カバーは布又はシートからなる（１）記載の着せ替え便器。
【００７５】
この着せ替え便器では、汚れた化粧カバーを洗濯して清潔に保つことが容易になる。
【産業上の利用可能性】
【００７６】
本発明は屎尿分離便器及び共同トイレ設備に利用可能である。
【図面の簡単な説明】
【００７７】
【図１】実施例１の屎尿分離便器及び共同トイレ設備が適用された集合住宅の概略断面図である。
【図２】実施例１の屎尿分離便器の斜視図である。
【図３】実施例１の屎尿分離便器に係り、座面及び化粧カバーを取り外した状態の斜視図である。
【図４】実施例１の屎尿分離便器の概略断面図である。
【図５】実施例２の屎尿分離便器の斜視図である。
【図６】実施例３の屎尿分離便器の斜視図である。
【符号の説明】
【００７８】
４…屎
１０、１０ａ、１０ｂ…屎尿分離便器
１１…屎用鉢部
１１ａ、１１ｂ…粉体固化層
１１ｃ…鉢面
１１ｄ…基部
１２…尿用鉢部
１３…ベルト
１４…粉体供給手段
１４ｂ…粉体
２１…屎用通路
２１ａ…排気口
２２…尿用通路
５０…共同トイレ設備
６１…コンポスト槽
６２…尿貯留槽
【図１】
0004463181.tif 000002
【図２】
0004463181.tif 000003
【図３】
0004463181.tif 000004
【図４】
0004463181.tif 000005
【図５】
0004463181.tif 000006
【図６】
0004463181.tif 000007